(57)【要約】【課題】本発明は例えば自動車のキーのような、未知のコード化された信号を生成する遠隔制御装置を他の用途、例えば建物のドア、ガレージ・ドア、パーキングバリア等で使用する方法と装置を提供する。【解決手段】時間間隔の復調及び検知によって、未知のコード化された信号のエンベロープに関するシーケンス及び他のデータ、そしてエンベロープ・データをメモリへ格納する。格納されたエンベロープ・データを新しく受信した未知のコード化信号のエンベロープ・データと比較し、格納されたデータと新受信データが一致する場合マッチ信号を出力する。マッチ信号はロック、ドア及びバリアを操作するために使用でき、さらにシステムには、ビデオインターホン、アラーム、緊急及びアクセス・コントロール・システムを含む。【選択図】図１
2006226100.tif 000002
【特許請求の範囲】
【請求項１】
遠隔制御装置の未知のコード化された信号を記録及び利用する方法であって、
キー、キー・ホルダー、カード、タグ、ストリップ、ボタン、チャーム、ペンダント、腕輪、またはそれらの組み合わせからなるグループから選んだデバイスを、ＲＦ受信機、ＩＲ受信機、アクセス・コントロール・リーダ、データ受信機、またはそれらの組み合わせを含むグループから選んだ少なくとも１つの受信入力を含むインタフェース回路を通し、中央処理装置、メモリ、及び少なくとも１つの出力を用いることによって、前記受信入力を通じて前記遠隔制御装置の前記未知のコード化された信号を受信し、復調し、前記未知のコード化された信号のエンベロープの出力及び供給を前記中央処理装置に対して行い；
前記中央処理装置によって、立ち上がりと立ち下がり時間の検知、アップダウン・カウント、カウント、リセット、時間間隔検知、パルス幅検知、間隔状態定義、パルス状態定義、またそれらの組み合わせというグループから選んだプロセスを通じて前記エンベロープを処理し、前記エンベロープに関するデータ生成のために、エンベロープが低い各期間、エンベロープが高い各期間、エンベロープの全体の最低値の期間、エンベロープの全体の最高値の期間、全エンベロープの期間、全体の最低値の合計及びエンベロープの全体の最高値、エンベロープの極性、時間間隔に基づく低い状態のパルス、時間間隔に基づく高い状態のパルス、時間間隔に基づく個々の中間状態のパルス、低い状態のパルスの総数、高い状態のパルスの総数、個々の中間状態のパルスの総数、全体の低い状態及び高い状態のパルスのシーケンス、全体の低い状態、高い状態及び個々の中間状態のパルスのシーケンス、そしてそれらの組み合わせというグループから選び；
前記エンベロープに関する前記データを前記メモリへ格納し；そして、新しく受信した未知のコード化された信号のエンベロープに関して格納されたデータを新しく生成されたデータと比較し、かつ前記格納されたデータ及び前記新しく生成されたデータがマッチしたときは、前記出力を通じてマッチ信号を出力することを特徴とする方法。
【請求項２】
請求項１に記載の遠隔制御装置の未知のコード化された信号を記録及び利用する方法において、少なくとも１つの出力が、リレー、電気スイッチ、シリアルコード・バッファー、パラレルコード・バッファーまたそれらの組み合わせからなるグループから選んだドライバ出力回路であり、器具での動作のために、ドアロック、家のドア、ビルのドア、自動車のロック、自動車のドア、自動車のイグニッション、自動車のアラーム、バリア、ガレージバリア、パーキングバリア、エレベータ、照明、アラーム・センサ、アラーム・コントローラ、緊急センサ、緊急コントローラまたはそれらの組み合わせからなるグループから選んだことを特徴とする方法。
【請求項３】
請求項１に記載の遠隔制御装置の未知のコード化された信号を記録及び利用する方法において、少なくとも１つの出力がシステムに接続し、該システムと共に操作され、該システムは、ビデオインターホン・システム、ドア電話システム、盗難警報装置、非常通報システム、アクセス・コントロール・システム、駐車システムまたはそれらの組み合わせからなるグループから選ばれたものであることを特徴とする方法。
【請求項４】
請求項２に記載の遠隔制御装置の未知のコード化された信号を記録及び利用する方法において、少なくとも一つのドライバ出力回路がシステムに接続し、該システムと共に操作され、該システムは、ビデオインターホン・システム、ドア電話システム、盗難警報装置、非常通報システム、アクセス・コントロール・システム、駐車システムまたはそれらの組み合わせからなるグループから選ばれたものであることを特徴とする方法。
【請求項５】
請求項１に記載の遠隔制御装置の未知のコード化された信号を記録及び利用する方法において、前記遠隔制御装置が未知のコード化された信号のシーケンスの生成のためのキーを含み、
そして、前記遠隔制御装置の未知のコード化された信号を順次受信し、前記中央処理装置に前記シーケンスの前記未知のコード化された信号のエンベロープを与えるステップ；前記プロセスを通じて前記中央処理装置によって前記シーケンスのエンベロープを処理し、前記エンベロープ及び前記シーケンスに関するデータを前記メモリに格納するステップ；そして、前記格納されたデータを、前記シーケンス中で新しく受信した未知のコード化された信号に関するエンベロープに関して新しく生成されたデータと比較し、前記格納されたデータと前記新しく生成されたデータ及び前記シーケンスがマッチした時に、前記出力を通じてマッチ信号を出力するステップをさらに含むことを特徴とする方法。
【請求項６】
請求項５に記載の遠隔制御装置の未知のコード化された信号を記録及び利用する方法において、前記シーケンスが、前記未知のコード化された信号を繰り返し生成するシーケンスを含むことを特徴とする方法。
【請求項７】
遠隔制御装置の未知のコード化された信号を記録及び利用する方法であって、
前記信号が、シリアルコード、パラレルコード、コード化されたデータまたはそれらの組み合わせからなるグループから選ばれたものであり、これらは、アクセス・リーダによって生成され、該アクセス・リーダは、穿孔カード読取装置、磁気カードリーダ、バーコード・リーダ、光カードリーダ、接近リーダ、指紋読取装置、アイパターン・リーダ、顔面認識リーダ、ＲＦＩＤリーダまたはそれらの組み合わせからなるグループからアクセスの試み方に応じて選ばれたものであり、少なくとも１つの受信入力を含んでいるインタフェース回路への供給を行うものであり、前記受信入力は、シリアルコード・受信機、パラレルコード・受信機、データ受信機、またはそれらの組み合わせからなるグループから選ばれたものであり、中央処理装置、メモリまたは少なくとも１つの出力を含み、前記受信入力を通じて前記アクセス・リーダの未知のコード化された信号を受信して処理し、前述の未知のコード化された信号の連続するエンベロープの出力及び供給を前記中央処理装置に対して行うステップ；
前記中央処理装置によって前記エンベロープを再処理し、該再処理が、立ち上がりと立ち下がり時間の検知、カウントのアップダウン、カウント、リセット、時間間隔の検知、パルス幅の検知、間隔状態の定義、パルス状態の定義またそれらの組み合わせからなるグループから前記エンベロープに関するデータの生成のために選んだものであり、前記エンベロープが、エンベロープが低い各期間、エンベロープが低い各期間、エンベロープの全体の最低値の期間、エンベロープの全体の最高値の期間、全エンベロープの期間、全体の最低値の合計及びエンベロープの全体の最高値、エンベロープの極性、時間間隔に基づく低い状態のパルス、時間間隔に基づく高い状態のパルス、時間間隔に基づく個々の中間状態のパルス、低い状態のパルスの総数、高い状態のパルスの総数、個々の中間状態のパルスの総数、全体の低い状態及び高い状態のパルスのシーケンス、全体の低い状態、高い状態及び個々の中間状態のパルスのシーケンス、そしてそれらの組み合わせというグループから選んだものであるステップ；
前記エンベロープに関する前記データを前記メモリへ格納するステップ；そして、
新しく受信した未知のコード化された信号のエンベロープに関して格納されたデータを新しく生成されたデータと比較し、そして、前記格納されたデータ及び前記新しく生成されたデータがマッチしたときは、前記出力を通じてマッチ信号を出力することを特徴とする方法。
【請求項８】
請求項７に記載の遠隔制御装置の未知のコード化された信号を記録及び利用する方法において、少なくとも１つの出力が、リレー、電気スイッチ、シリアルコード・バッファー、パラレルコード・バッファーまたそれらの組み合わせからなるグループから選んだドライバ出力回路であり、器具での動作のために、ドアロック、家のドア、ビルのドア、自動車のロック、自動車のドア、自動車のイグニッション、自動車のアラーム、バリア、ガレージバリア、パーキングバリア、エレベータ、照明、アラーム・センサ、アラーム・コントローラ、緊急センサ、緊急コントローラまたはそれらの組み合わせからなるグループから選んだことを特徴とする方法。
【請求項９】
請求項７に記載の遠隔制御装置の未知のコード化された信号を記録及び利用する方法において、少なくとも１つの出力がシステムに接続し、該システムと共に操作され、該システムは、ビデオインターホン・システム、ドア電話システム、盗難警報装置、非常通報システム、アクセス・コントロール・システム、駐車システムまたはそれらの組み合わせからなるグループから選ばれたものであることを特徴とする方法。
【請求項１０】
請求項８に記載の遠隔制御装置の未知のコード化された信号を記録及び利用する方法において、少なくとも一つのドライバ出力回路がシステムに接続し、該システムと共に操作され、該システムは、ビデオインターホン・システム、ドア電話システム、盗難警報装置、非常通報システム、アクセス・コントロール・システム、駐車システムまたはそれらの組み合わせからなるグループから選ばれたものであることを特徴とする方法。
【請求項１１】
遠隔制御装置の未知のコード化された信号を記録及び利用する装置であって、
キー、キー・ホルダー、カード、タグ、ストリップ、ボタン、チャーム、ペンダント、腕輪またはそれらの組み合わせからなるグループから選んだデバイスを、ＲＦ受信機、ＩＲ受信機、アクセス・コントロール・リーダ、データ受信機、またはそれらの組み合わせを含むグループから選んだ少なくとも１つの受信入力を含むインタフェース回路を通し、中央処理装置、メモリ、及び少なくとも１つの出力を用いることによって、前記受信入力受信機及び復調器が、前記受信入力を通じて前記遠隔制御装置の前記未知のコード化された信号を受信し、復調し、前記未知のコード化された信号のエンベロープの出力及び供給を前記中央処理装置に対して行い；
前記中央処理装置によって、立ち上がりと立ち下がり時間の検知、アップダウン・カウント、カウント、リセット、時間間隔検知、パルス幅検知、間隔状態定義、パルス状態定義またそれらの組み合わせというグループから選んだプロセスを通じて前記エンベロープを処理し、前記エンベロープに関するデータ生成のために、エンベロープが低い各期間、エンベロープが高い各期間、エンベロープの全体の最低値の期間、エンベロープの全体の最高値の期間、全エンベロープの期間、全体の最低値の合計及びエンベロープの全体の最高値、エンベロープの極性、時間間隔に基づく低い状態のパルス、時間間隔に基づく高い状態のパルス、時間間隔に基づく個々の中間状態のパルス、低い状態のパルスの総数、高い状態のパルスの総数、個々の中間状態のパルスの総数、全体の低い状態及び高い状態のパルスのシーケンス、全体の低い状態、高い状態及び個々の中間状態のパルスのシーケンス、そしてそれらの組み合わせというグループから、前記エンベロープに関する前記データを前記メモリへ格納するために選び；そして、
前記中央処理装置が、新しく受信した未知のコード化された信号のエンベロープに関して格納されたデータを新しく生成されたデータと比較し、かつ前記格納されたデータ及び前記新しく生成されたデータがマッチしたときは、前記出力を通じてマッチ信号を出力することを特徴とする装置。
【請求項１２】
請求項１１に記載の遠隔制御装置の未知のコード化された信号を記録及び利用する装置において、少なくとも１つの出力が、リレー、電気スイッチ、シリアルコード・バッファー、パラレルコード・バッファー、またそれらの組み合わせからなるグループから選んだドライバ出力回路であり、器具での動作のために、ドアロック、家のドア、ビルのドア、自動車のロック、自動車のドア、自動車のイグニッション、自動車のアラーム、バリア、ガレージバリア、パーキングバリア、エレベータ、照明、アラーム・センサ、アラーム・コントローラ、緊急センサ、緊急コントローラまたはそれらの組み合わせからなるグループから選んだことを特徴とする装置。
【請求項１３】
請求項１１に記載の遠隔制御装置の未知のコード化された信号を記録し利用するための装置において、少なくとも１つの出力がシステムに接続し、該システムと共に操作され、該システムは、ビデオインターホン・システム、ドア電話システム、盗難警報装置、非常通報システム、アクセス・コントロール・システム、駐車システム、またはそれらの組み合わせからなるグループから選ばれたものであることを特徴とする装置。
【請求項１４】
請求項１２に記載の遠隔制御装置の未知のコード化された信号を記録及び利用する装置において、少なくとも一つのドライバ出力回路がシステムに接続し、該システムと共に操作され、該システムは、ビデオインターホン・システム、ドア電話システム、盗難警報装置、非常通報システム、アクセス・コントロール・システム、駐車システム、またはそれらの組み合わせからなるグループから選ばれたものであることを特徴とする装置。
【請求項１５】
未知のコード化された信号を記録及び利用する装置であって、
前記コード化された信号が、シリアルコード、パラレルコード、コード化されたデータ、またはそれらの組み合わせからなるグループから選ばれたものであり、これらは、アクセス・リーダによって生成され、該アクセス・リーダは、穿孔カード読取装置、磁気カードリーダ、バーコード・リーダ、光カードリーダ、接近リーダ、指紋読取装置、アイパターン・リーダ、顔面認識リーダ、ＲＦＩＤリーダ、またはそれらの組み合わせからなるグループから選ばれたものであり、少なくとも１つの受信入力を含んでいるインタフェース回路への供給を行うものであり、前記受信入力は、シリアルコード・受信機、パラレルコード・受信機、データ受信機、またはそれらの組み合わせからなるグループから選ばれたものであり、中央処理装置、メモリ、また少なくとも１つの出力を含み、前記受信入力を通じて前記アクセス・リーダの未知のコード化された信号を受信して処理し、前述の未知のコード化された信号の連続するエンベロープの出力及び供給を前記中央処理装置に対して行うステップ；
前記中央処理装置によって前記エンベロープを再処理し、該再処理が、立ち上がりと立ち下がり時間の検知、カウントのアップダウン、カウント、リセット、時間間隔の検知、パルス幅の検知、間隔状態の定義、パルス状態の定義、またそれらの組み合わせからなるグループから前記エンベロープに関するデータの生成のために選んだものであり、前記エンベロープが、エンベロープが低い各期間、エンベロープに高い各々の期間、エンベロープの全体の最低値の期間、エンベロープの全体の最高値の期間、全エンベロープの期間、全体の最低値の合計及びエンベロープの全体の最高値、エンベロープの極性、時間間隔に基づく低い状態のパルス、時間間隔に基づく高い状態のパルス、時間間隔に基づく個々の中間状態のパルス、低い状態のパルスの総数、高い状態のパルスの総数、個々の中間状態のパルスの総数、全体の低い状態及び高い状態のパルスのシーケンス、全体の低い状態、高い状態及び個々の中間状態のパルスのシーケンス、そしてそれらの組み合わせというグループから、前記エンベロープに関する前記データを前記メモリへ格納するために選び；そして、
前記中央処理装置が、新しく受信した未知のコード化された信号のエンベロープに関して格納されたデータを新しく生成されたデータと比較し、かつ前記格納されたデータ及び前記新しく生成されたデータがマッチしたときは、前記出力を通じてマッチ信号を出力することを特徴とする装置。
【請求項１６】
請求項１５に記載の遠隔制御装置の未知のコード化された信号を記録及び利用する装置において、少なくとも１つの出力が、リレー、電気スイッチ、シリアルコード・バッファー、パラレルコード・バッファー、またそれらの組み合わせからなるグループから選んだドライバ出力回路であり、器具での動作のために、ドアロック、ドアロック、家のドア、ビルのドア、自動車のロック、自動車のドア、自動車のイグニッション、自動車のアラーム、バリア、ガレージバリア、パーキングバリア、エレベータ、照明、アラーム・センサ、アラーム・コントローラ、緊急センサ、緊急コントローラまたはそれらの組み合わせからなるグループから選んだことを特徴とする装置。
【請求項１７】
請求項１５に記載の遠隔制御装置の未知のコード化された信号を記録し利用するための装置において、少なくとも１つの出力がシステムに接続し、該システムと共に操作され、該システムは、ビデオインターホン・システム、ドア電話システム、盗難警報装置、非常通報システム、アクセス・コントロール・システム、駐車するシステム、またはそれらの組み合わせからなるグループから選ばれたものであることを特徴とする装置。
【請求項１８】
請求項１６に記載の遠隔制御装置の未知のコード化された信号を記録及び利用する装置において、少なくとも一つのドライバ出力回路がシステムに接続し、該システムは、ビデオインターホン・システム、ドア電話システム、盗難警報装置、非常通報システム、アクセス・コントロール・システム、駐車システム、またはそれらの組み合わせからなるグループから選ばれたものであることを特徴とする装置。
【発明の詳細な説明】
【技術分野】
【０００１】
本発明は、ＩＲまたはＲＦのリモート・コントロール・キーやデバイス、そしてビデオインターホンあるいはドア電話デバイス及びシステム、警報装置とシステム、アクセス・コントロール・デバイス及びシステム、また駐車デバイス及びシステムに関する。
【背景技術】
【０００２】
赤外線（ＩＲ）あるいはＲＦをトランスミッタとして組込むキーやキー・ホルダーのようなリモート・コントロール・アクセス・デバイスは、遠隔で自動車をロックしたり、開けたりするため、あるいは自動車警報器を作動させるため、あるいは自動車のロックのため、そして自動車のアラームを動作させるために用いられる。これらは、駐車場へのアクセスや磁気カードリーダによる構内入場のために使用される入場デバイス、ＲＦＩＤリーダ、接近リーダ及び他の同様のリーダですべてシリアル・コーディングを使用しており、特定の設備あるいはシステムでのみ作動するために形成され、処理され、使用されるものを含む。このようなデバイスの問題は、リモート・コントロールまたはアクセスのエントリー・デバイスのメーカーが、それぞれ任意に選択した周波数、帯域幅、クロック、信号レベル、信号極性、変調及びコーディング技術を備えた特許技術を使用し、すべてがリモート・コントロール・アクセス・デバイスを作るのにメーカーによって全く互換性が異なるようにすることである。
【０００３】
これは、１つのリモート・コントロール・アクセス・デバイスを異なる用途に使用することを妨げる。またはサードパーティー・メーカーによって作られたシステムにも使用できなくする。その結果、ＩＲまたはＲＦを特定の自動車のために作られた遠隔制御装置として組み込む自動車キーやキー・ホルダーは、他の自動車あるいは自動車の所有者のガレージやアパートのドアのエントリー・システムに使用することができない。自動車を数台所有する所有者や遠隔制御装置の使用者は、ガレージのドアや表玄関を開けること、異なる盗難警報装置を能動化することのために、複数個のキーかキー・ホルダーあるいは他のエントリー・アクセス・デバイスを所持する必要があり、コストがかさみ、厄介かつ不便である。
【発明の開示】
【発明が解決しようとする課題】
【０００４】
本発明は、ＩＲまたはＲＦのリモート・コントロール・キーやデバイス、そしてビデオインターホンあるいはドア電話デバイス及びシステム、警報装置とシステム、アクセス・コントロール・デバイス及びシステム、また駐車デバイス及びシステムに関する方法及び装置を提供することを目的とする。
【課題を解決するための手段】
【０００５】
本発明の目的は、遠隔制御装置の未知の信号の記録及び利用のための方法と装置を供給することであり、キー、キー・ホルダー、カード、タグ、ストリップ、ボタン、チャーム、ペンダント、腕輪及びそれらの組み合わせからなるグループから選ばれたデバイスを含み、インタフェース回路によって前述の遠隔制御装置を使用するために、ＲＦ受信機、ＩＲ受信機、アクセス・コントロール・リーダ、データ受信装置及びそれらの組み合わせから成るグループから選ばれた少なくとも１つの受信機を含み、ドアロック、家のドア、ビルのドア、自動車のロック、自動車のドア、自動車のイグニッション、自動車のアラーム、障壁、パーキングバリア、ガレージ障壁、アラーム・センサ、アラーム・コントローラ、緊急センサ及び緊急コントローラというグループから選ばれた器具を備える。
【０００６】
本発明のさらなる目的は、前述のインタフェース回路を、ビデオインターホン・システム、ドア電話システム、盗難警報装置、非常通報システム、アクセス・コントロール・システム、駐車システム及びそれらの組み合わせを含むグループから選ばれたシステムに接続させることである。
【０００７】
本発明の他の目的は、シリアルコード信号、並列コード信号、データ信号及びそれらの組み合わせというグループから選ばれた未知のコード化された信号の記録及び利用のための方法と装置を提供することであり、パンチカード読取装置、磁気カード読取装置、バーコード・リーダ、光カード読取装置、指紋読取装置、目パターン読取装置、顔認識読取装置、ＲＦＩＤ読取装置及びそれらの組み合わせからなるグループから選ばれたリーダを備え、ドアロック、家のドア、ビルのドア、自動車のロック、自動車のドア、自動車のイグニッション、自動車のアラーム、バリア、パーキングバリア、ガレージ障壁、アラーム・センサ、アラーム・コントローラ、緊急センサ及び緊急コントローラというグループから選ばれたものについて前述の未知のコード化された信号を使用する。
【０００８】
未知の信号の記録及び利用のための本発明の方法のさらなる目的は、前述のリーダを、ビデオインターホン・システム、ドア電話システム、盗難警報装置、非常通報システム、アクセス・コントロール・システム、駐車システム及びそれらの組み合わせというグループから選ばれたシステムに接続することである。未知の信号の記録及び利用のための本発明の装置のさらなる目的は、１つ以上の特定の周波数あるいは広帯域の周波数を受信するために１つ以上の承認（例えばアメリカ国内で無許可の周波数のＦＣＣの承認）されたＲＦ受信機を使用する。前記無許可周波数は周知の周波数で、遠隔制御装置または警報装置に使用されている。３０８．８２５ＭＨｚ、３１５ＭＨｚ、４１８ＭＨｚ、４３３ＭＨｚ、９１４ＭＨｚ及び９１６．５ＭＨｚの特定の周波数、あるいは３０８から３１５ＭＨｚ帯域、４１５から４３５ＭＨｚ帯域及び９１３から９１８ＭＨｚ帯域というように特定される。
【０００９】
３００ＭＨｚから９５０ＭＨｚの全範囲までカバーする単一の広帯域受信機を使用することは可能であるが、しかし実際上は、少なくとも２つの別個の受信機を使用することが望ましい。いろいろな遠隔制御装置によって生成されたＲＦ信号を受信するためであり、１つの受信機は３００から４５０ＭＨｚの帯域をカバーし、第２の受信機は９００から９３０の帯域をカバーする。ＦＣＣによって許されたのが非常に低電力のＲＦ送信のため、３つの受信機を使用することが望ましい。ひとつは３０８から３１５ＭＨｚの帯域用、次は４１５から４３５ＭＨｚの帯域用、３番目は９１３から９１８ＭＨｚの帯域用とする。特定の周波数のためのより多くの帯域あるいは特定の正確な受信機が必要な場合、一致する受信機を幾つでも加えて使用することができる。
【００１０】
各受信機は受信信号の復調のために受信アンテナと復調器を含む。ＯＯＫ変調といわれる復調オン・オフキーイング、ＡＳＫあるいはＡＭ変調として知られている振幅偏移変調、またＦＳＫあるいはＦＭ変調として知られている周波数偏移変調等の変調用に設計されている周知の回路を含んでいる。
【００１１】
公知の復調器回路を復調器として公知の単一の受信機ＩＣパッケージに組み入れ得る。それは低価格で市販されており、あるいは、標準的な公知の回路部品によって作ることもできる。例えばトランジスタ、ダイオード、フィルタ、コイル及び他の周知のコンポーネントを用い、ＯＯＫ、ＡＳＫ、ＡＭ、ＦＳＫあるいはＦＭ変調された信号を復調できるようにすればよい。
【００１２】
従って未知のコード化された信号を記録及び利用する方法の第一歩は、前述の未知のコード化された信号を受信することであり、それは、少なくとも１つの受信機を介し、ＯＯＫ、ＡＳＫ、ＡＭ、ＦＳＫあるいはＦＭ変調から成るグループから選ばれた変調方式に基づいて受信信号を復調する。復調された信号はオリジナルのコード化された送信の低周波エンベロープで、遠隔制御装置によって生成される。エンベロープ信号は、復調器から周知の低域フィルタ（ＬＰＦ）で出力され、エンベロープの低周波が通過することを可能にし、高周波キャリアーや出力信号からの高周波ノイズをブロックする。これによって、復調された出力あるいはエンベロープ信号は、与えられた遠隔制御装置によって生成されたオリジナルのコードのクリーンなエンベロープへ再生される。コードは、例えばＲＦキー、やＩＲキー、磁気キーに埋め込まれていたコード、あるいは磁気キーかカード読取り機を通って処理されるカードのコードで、連続するディジタル・コードからなる。
【００１３】
復調されたエンベロープ信号はさらに周知のデジタル回路で処理する場合がある。例えば、デジタル信号アンプのように信号を一段増幅する。周知のクリップ回路及びクランプ回路のように、指定されたレベル隣るように信号をクリッピングし、そしてエンベロープを選択された基準への最低値あるいは最高値にクランプし、それによって、鋭いエッジを有し、ノイズフリーで、正確なレベルのクリーンなエンベロープ信号を供給する。さらに、エンベロープ信号は周知のインバーター回路によって反転させることができ、異なる遠隔制御装置のエンベロープ信号の極性を統一できる。
【００１４】
復調されたエンベロープの個々のパルスには立ち上がり及び立ち下がり時間にタイミング・エラーがある。処理の遅延のためである。しかしながら、エラーはごく小さなものである。そしてさらにエラーは反復が多く、後述するように、エラーが反復の多いので格納された信号と遠隔制御装置の任意の新規に受信した未知の信号の間での比較エラーを示さない。復調されたエンベロープ信号は、カウンタのゲート及びＣＰＵの入力に供給される。様々な周知のカウンタ及びカウント方法を未知のコード信号の記録及び利用に使用でき、さらに現在の周知のＣＰＵ、周知のマイクロプロセッサーの多くも使用できる。これらは低価格で市販されており、カウント及びタイミング回路を組み込み、それによってＣＰＵにエンベロープ信号を直接接続して供給することを可能とし、本発明の実施例では、個別のカウンタを不要とする。しかしながら説明を明確化するために、以下ではカウンタを個別の回路として説明する。
【００１５】
カウンタはＣＰＵによって駆動され、高周波クロック、例えば１０ＭＨｚが使用される。これによって、単一パルスの幅及び（または）エンベロープのカウント中の立ち下がりか、立ち上がり時間についての計数誤差は、０．１μ秒すなわち１００ナノ秒の単位になり、２００Ｈｚ及び１００ｋＨｚ以内の範囲の低周波の未知のコード信号にとっては些細な誤差時間単位となる。
【００１６】
カウンタはアップダウン・カウンタで、個別のプリセット出力を持ち、またエンベロープ信号によってゲート制御される。そのためパルスの立ち上がりがカウンタを０にリセットし、カウントアップを開始し、その一方、パルス立ち下がりもカウンタを０にリセットし、カウントダウンを開始する。カウンタは、ＣＰＵにエンベロープの最高値の間プラスのカウント値を出力し、またエンベロープの最低値の間はマイナスのカウント値を出力する。したがってＣＰＵは、入力されたエンベロープを直接読み記録することができる。記録内容は、エンベロープ信号の高低の個々の期間、最高値と最低値の数、最低値の合計、最高値の合計、長さの合計である。また未知のコード信号に関する総計をエンベロープによって表す。１０ＭＨｚのクロックの例を考えれば、カウントの精度は１００ナノ秒が単位時間になるであろう。
【００１７】
従って未知のコード化された信号を記録及び利用する方法の第２のステップは、前記未知のエンベロープの内容をカウントするためのＣＰＵのカウンタに、復調された信号のエンベロープを供給することである。エンベロープは、各高低状態の期間、各高低のシーケンス及び高低の総数、最低値期間及び最高値期間の総計、総計、エンベロープの時間長さの合計、エンベロープ及びそれらの組み合わせの極性から成るグループから選ばれたものとする。
【００１８】
未知のコード信号の前述の未知のコード化されたエンベロープのカウント値は、詳細にカウントされてメモリに格納記憶される。そして前述の未知のコード化されたエンベロープの録音に利用し、前述の遠隔制御装置によって前述の器具やシステムにアクセスする。その記録は、さらに、各遠隔制御装置の所有者のリストや所有者に関する他の詳細を含む。開閉ドアや能動化される盗難警報装置や掲げる障壁を含んで、他の項目も同様である。
【００１９】
未知のコード化された信号を記録及び利用する方法の第３番目のステップは、したがって、メモリに前述のエンベロープのカウント値を格納することである。
【００２０】
一度、前述の未知のコード化されたエンベロープのカウントの詳細の記録が完了すると、前述の遠隔制御装置によるアクセス目的での受信、デコード、及び繰り返しの新規送信におけるエンベロープの数のカウントが、が前述の未知のコード化されたエンベロープの記録値と比較される。両方の値が一致する時だけ、ＣＰＵはマッチ信号を生成し、ドアを開けるため、あるいは盗難警報装置の非能動化のため、あるいは駐車ゲートを開くために、またあるいは建物へ提供するアクセス機能のために、バッファかリレー回路を一回だけ能動化させる。これは、ロビーへエレベータを呼び戻すことによる。
【００２１】
従って、本発明の方法の第４番目のステップは、新たに受信されたの新なエンベロープのカウントである。前述の新なエンベロープの新なカウント値の比較はマッチ信号の生成に対する前述の格納値と行われるが、それは、前述の新なカウント値が格納値と一致する場合である。
【００２２】
本発明の方法、及び未知のコード化された信号を記録し利用するための装置が提供するのは、ＩＲ遠隔制御装置の使用のために、ＲＦ遠隔制御装置に備えるのと同じ方法である。この目的のために、ＩＲフィルタを含む少なくとも１つのＩＲ受信機が備えられ、レンズ及びフォトセンシングダイオードを、復調器及び処理回路と共に装置に組み入れ、未知の信号の記録及び利用のために供する。復調と処理のための復調器、受信ＩＲ信号は前述のＲＦ復調器及びプロセッサに類似する。前述のＩＲ受信機の一般に用いられている復調器回路はＯＯＫタイプである。一般に用いられているＩＲ遠隔制御装置がオン・オフキーイングで操作されるからである。しかし、他の変調、復調回路も使用することができる。
【００２３】
デコーディング、カウント及びＩＲ遠隔制御装置によって生成された未知のコード信号の格納のステップ及び、受信ＩＲ信号の新たにカウントされたエンベロープを比較するステップは、受信ＲＦ信号について前述したステップと同じである。同じことが、さらに未知のリーダ出力信号、あるいは直接供給されたシリアルあるいは並列の符号信号、に当てはまる。すべては処理される、それらのエンベロープは形成され、カウントされ、格納される。受信ＲＦあるいはＩＲ信号のために記述したのと同じ方法である。
【００２４】
遠隔制御装置は、磁気カードあるいはバーコード・カードのようなデバイスを含んでおり、完全かつ全コードを、対応するリーダによってそれぞれ送信あるいは生成するように構成されている。いくつかのタイプの遠隔制御装置が形成され、シリアルコード信号の送信を繰り返し、他のものは、キーの各タッチにつき完全なシリアルコードを一度送信する。
しかしながら、遠隔制御装置はすべて完全なコード化された信号を送信する信号は一般にパイロット・ビットで始まり、同期ビットやスタートビット及び終了ビットを備えている。
【００２５】
一般に用いられている受信機、リーダ、及び遠隔制御装置や、磁気接近タイプ、及び他のキーやカードタイプ用プロセッサは、は、入って来るコード化された信号だけを読み、受理するようにあらかじめ構成されている。それら入力信号は、正確にあらかじめ形成されたコード、パルスのタイミング、パルス持続時間及び正確なスタートビット、アドレス・データ、コマンド・データ、また他の排他的に形成されたプログラムと一致し、排他的なあらかじめ形成され、あらかじめプログラムされた一致だけが器具やシステムにアクセスすることができるようにすることを保証する。
【００２６】
対照的に、本発明は、任意のそのような遠隔制御装置の使用を提供する。デバイスとしては、磁気カード、バーコード、接近キー、また他のアクセス・デバイスであり、これらは、完全に未知な信号をコード化して記録する。これらは、パルス要素を含んでいる。それは、パイロット、同期、スタートビット及び終了ビットとなる。これらはすべて、前述のメモリへ格納された未知の記録された信号内でリードパルスとなり、かつ終了パルスとなる。
【００２７】
したがって、本発明のカウント・プロセスのカウント・プロセスを始めるために、パイロット・ビット、同期ビットあるいはスタートビットの特定の必要はない。また、カウンタはそのカウントを、供給されたエンベロープ信号中でゲート入力に立ち上がりまたは立ち下がりが与えられれば常に開始する。カウントを終了するためには、または受信信号のカウント・プロセスを終えるためには、カウンタは、高いか低い状態が「ｎ」ミリ秒より長い期間にわたり残る場合は常にそれ自体をリセットし、かつカウントをストップするようにプログラムされる。
【００２８】
カウンタのリセットは、システムのＣＰＵを、受信状態へのリセットのために、及び新たに送信された信号の受理を可能にするために行う。期間「ｎ」を形成することは単純である。例えば、未知のコード信号の最も遅い速さが１ｋｂｉｔ／秒である場合、エンベロープ信号の個々の低くかつまたは高い状態の幅は、実際に１ミリ秒という期間を超過することができないので、したがって、例えば１０ミリ秒あるいは１００ミリ秒より長い期間「ｎ」は、送信のエラーフリーエンドとして安全に形成することができる。あるいは送信状態を識別しないこととすることもできる。そして、カウンタが自身をリセットし、そしてＣＰＵをその「受信準備」状態へリセットし、次の新な受信のためにシステムを準備する。
【００２９】
従って、未知のコード信号を記録及び利用する方法の次のステップは、カウンタとＣＰＵをそれらの「受信準備」状態へリセットすることである。それは常に、エンベロープ信号のいずれかの低いあるいは高い状態の期間が予めプログラムされた「ｎ」時間間隔より長いときに実行される。
【００３０】
これに望ましいのは、ＩＲキー・ホルダーのような遠隔制御装置である。英数字のような多数のタッチキーを装備しており、例えば、遠隔制御装置のタッチキーによりプログラムされたパスワードキーイングを使用することによって駐車システムへアクセスすることができる。したがって、未知のコード化された信号を複合的にキーイングすることの制限は、キー操作の時間間隔になるであろう。前記「ｎ」時間期間より長くなるに違いないからである。「ｎ」時間期間が、１０ミリ秒と１００ミリ秒の間のように、１秒の何分の１かの間であるとして、そのような短い時間では、前述の遠隔制御装置の前述のキーによるパスワードの複合操作のようなどのような実際的な方法でも防ぎ得ない。
【００３１】
パスワードキーイングでのシーケンス、例えば、エンベロープのカウント値は、４つの連続する３−１−４−２に順のディジットからなり、メモリへ順次個々に記録される。ＣＰＵは、１つの新たな受信信号シーケンスの中で、４つの個別のエンベロープのカウント値を比較するようにプログラムされており、そしてすべての４つの個々のコード化送信信号の前記した新なエンベロープ信号の数値が個々の記憶された信号と一致するときのみ、また、それらのシーケンスがプログラムされたシーケンスと一致するときのみ、ＣＰＵがバッファ回路へマッチ信号を生成し、前述の器具や前述のシステムの能動化あるいは非能動化を可能にする。
【００３２】
同様に、前述の遠隔制御装置のうちのどれによる繰り返し送信をプログラムすることは可能である。これは、建物の入口へのアクセスや与えられたアパートの盗難警報装置に装備さできる。これは、未知のエンベロープ計算の録音の繰り返しにより達成できる。またはＣＰＵのプログラムによっても可能であり、マッチする信号を「ｎ」回を連続して受け取った後だけマッチする信号を生成させればよい。
【００３３】
本発明の先のかつ他の目的及び特徴は、添付図面に関しての発明の好ましい実施例の次の記述から明白になるであろう。
【発明の効果】
【００３４】
本発明は、ＩＲまたはＲＦのリモート・コントロール・キーやデバイス、そしてビデオインターホンあるいはドア電話デバイス及びシステム、警報装置とシステム、アクセス・コントロール・デバイス及びシステム、また駐車デバイス及びシステムを提供することができる。
【発明を実施するための最良の形態】
【００３５】
以下本発明を実施するための最良の形態を、図に示す実施例を参照して説明する。
【００３６】
図１中に示す装置１は、遠隔制御装置の未知の信号の記録及び利用のためのもので、例えばＲＦキー１０、ＩＲリモート・コントロール１３、アクセス・リーダ１４Ｒ、シリアルや並列データの入力１５である。装置１は、図１中に示されるＲＦ受信機を番号ｎまで含んでおり、１０Ｒ、１１Ｒ、１２Ｒとして符号を付してあり、各々の前記受信機は、受信アンテナ１０Ａ、１１Ａ、１２Ａにそれぞれ接続され、また復調器回路１０Ｄ、１１Ｄ及び１２Ｄにもそれぞれ接続されている。復調器出力の各々は、カウンタ１０Ｃ、１１Ｃ、１２Ｃに供給され、そしてＣＰＵ１８の入力に１、２・・・「ｎ」までそれぞれ供給されている。ＣＰＵ１８は、そのＩ／Ｏ２及びＩ／Ｏ３端子によってメモリ１７、１７Ｓに接続され、前記遠隔制御装置及び、前述のアクセス・リーダ１４Ｒによって生成された未知の信号のカウントデータを記録する。そして、遠隔制御装置のユーザに関係する記録情報やそしてシステム・オペレーションとそのパラメーターに関係する他のデータのように前述の入力１５をデータが通る。
【００３７】
ＣＰＵ１８は、内部回路である制御回路１６にさらに接続している。しかしながら、これらはコントロールキー１６Ｋに対しては図１では個別の回路として描いてある。コントロールキー１６Ｋは、未知のコード信号を記録処理するために使用される。また遠隔制御装置に関係のあるデータの入力のためにも、遠隔制御装置及び所有者のアパート番号のような他の所有者の詳細、アパートの盗難警報装置、開かれるべき特定のドア、あるいは持ち上げられるべきパーキングバリア、またはどこかの階へ呼び出されるエレベータのようなもの、を記録処理するためにも使用される。キー１６Ｋはさらに、与えられたシステムに接続される装置１の機能をセットアップするのにも使用される。例えば、図７中に示されるビデオインターホン・システム、あるいはパーキングコントロール・システム（図示せず）に使用される。コントロールキー１６Ｋは、ＰＣ用等の一般的なＡＳＣＩＩキーボードでよい。あるいは、装置１に備えた１セットの押しボタンやタッチキーでもよい。
【００３８】
ＣＰＵ１８は、１９Ａと１９Ｎとして示された「ｎ」ドライバにさらに接続する。バッファされたかＣＰＵ出力のドライバ出力１９Ｂ及び１９Ｃを端子１からｎを通して供給するためである。ドライバ出力１９Ｂ及び１９Ｃは端子１からｎを通って供給される。ドライバ出力１９Ｂあるいは１９Ｃはリレーや電気スイッチでよく、電気的なドアロックの能動化に用いられる。あるいは自動車やガレージ障壁のロックにも使用される。なおドライバ回路はバッファアンプとし得る。シリアルあるいは並列のコード化されたコマンドの出力とすることで、エレベータの呼び出しやアラームの動作、非動作、あるいは非常装置及びシステムの動作、非動作、緊急照明装置のスイッチのオン・オフができる。
【００３９】
復調器１０Ｄ、１１Ｄ、１２Ｄの各出力は、それぞれのカウンタ１０Ｃ、１１Ｃ、１２Ｃのゲート制御された入力に個々に接続され、ＣＰＵ１８の出力端子３からカウンタのクロック入力１０Ｃ、１１Ｃ、１２Ｃに供給されるクロックをカウントする。
【００４０】
カウンタ１０Ｃ、１１Ｃ、１２Ｃはアップダウン・カウンタであり、個別のプリセット出力を有し、そして、復調器１０Ｄ、１１Ｄ、１２Ｄから供給されたエンベロープ信号によってゲート制御される。アップダウン・カウントは、ゲート信号の立ち上がり及び立ち下がり時間によってセットされ、パルス立ち上がりはカウンタを０にリセットし、カウントアップが始まり、一方、パルスの立ち下がりもカウンタを０にリセットするが、カウントダウンが始まる。
【００４１】
受信機１０Ｒ、１１Ｒ、１２ＲはＵＨＦ帯域の周知の受信機でよく、低価格のシングルチップＩＣにおいて一般に利用可能であり、そして、復調器回路１０Ｄ、１１Ｄ、１２Ｄを含んでいる。それらは、個別の復調器及びＬＰＦ回路として図１１中に示した。受信機ＲＸ１１０Ｒ、ＲＸ２１１Ｒ及びＲＸｎ１２Ｒは受信機のｎ番号であり、どのような特定の周波数でも、またＵＨＦ帯域の許容可能なスペクトル内の帯域でもカバーする。遠隔制御装置及び短距離データ通信に使用した周波数は、無免許の周波数としてアメリカで知られており、ＦＣＣによって承認された、３０８．８２５ＭＨｚ、３１５ＭＨｚ、４１８ＭＨｚ、４３３ＭＨｚ、９１４ＭＨｚ及び９１６．５ＭＨｚの特定の周波数であり、あるいは、３０３から３１５ＭＨｚの帯域、４１５から４３５ＭＨｚ帯域及び９１３から９１８ＭＨｚ帯域である。これらの周波数は自由に利用可能であるが、ＦＣＣは非常に厳格な制限を設けている。最大ミクロのワット及びミリ・ワット・レベルで送信パワーの管理のためである。これは非常に敏感な受信機を必要とする。すなわち、狭い帯域幅を持った調整された受信機であって、信号対雑音比を改善したものが必要である。
【００４２】
３００ＭＨｚのから９５０ＭＨｚの範囲のＵＨＦ範囲あるいは他のスペクトル範囲全体をカバーするために単一の広帯域の受信機を使用することは可能である。しかし、そのような広帯域受信機は良好な信号対雑音比を持つことができない。遠隔制御装置によって生成された信号が非常に低いためである。
【００４３】
したがって、受信機の受信能力を上げ、信号対雑音比を改善することについては、アメリカで少なくとも２つの受信機を使用することが望ましいとされている。一つは３００ＭＨｚから４５０ＭＨｚの帯域をカバーし、他の一つは９００ＭＨｚから９３０ＭＨｚの帯域をカバーする。望ましいセットアップは３つの受信機になるであろう。すなわち、第１は３０８ＭＨｚから３１５ＭＨｚ、第２は４１５ＭＨｚから４３５ＭＨｚ、また第３は９１３ＭＨｚから９１８ＭＨｚとする。このような狭周波数帯は高感度及び低ノイズ受信を実現できる。そしてそれは、シングルチップ受信機ＩＣのようなまさに低価格のものにより実現できる。それに含まれる３つ以上の受信機が個々の特定の周波数の１つを含むことは、まさに有効なコストパフォーマンスを発揮する。
【００４４】
図示された受信機ＲＸ１１０Ｒの各々、ＲＸ２１１Ｒ及びＲＸｎ１２Ｒは、個々のアンテナ１０Ａ、１１Ａ及び１２Ａにそれぞれ接続する。そして、アンテナの長さは、波長の１／４あるいは１／８に等しいので、それらは装置１のプリント回路板上に、ライン状のあるいはループ状のアンテナとして設計できる。生産には文字通りの些細なコストアップしか生じない。
【００４５】
個別の回路として図１中で示される復調器１０Ｄ、１１Ｄ、１２Ｄは、ＯＯＫ変調といわれる復調オン・オフ変調、ＡＳＫあるいはＡＭ変調として知られている振幅偏移変調、またＦＳＫあるいはＦＭ変調として知られている周波数偏移変調等の変調用に設計されている周知の回路を含んでいる。
【００４６】
オン・オフキーイングとして知られている典型的なＯＯＫ変調波形を図４Ａ中に示す。搬送波信号４０はデータ・ビット・パルス４２によってオン・オフ変調される。データ・ビット・パルス４２は、Ｈ状態の幅狭パルスと、Ｌ状態の幅広パルスからなる。しかしながら、パルスの幅は逆にできる。幅狭パルス及び幅広パルスともクロックパルス４１の整数に基づいて生成される。例えば波形４２中で示したように、一つのクロックの幅はＨに、また２つのクロックの幅はＬにされる。データ・ビット・パルスは、波形４３中で示される、コード化されたＲＦ信号を送信するために搬送波４０をオン・オフさせる。
【００４７】
図４Ｂは、周波数変調方式として知られているＦＳＫやＦＭ変調の典型的な波形を示す。搬送波信号４４の周波数は、波形４７中で示されるＲＦ送信のＨ状態の周波数として示される。波形４６中で示されるデータは、周知のデジタル・データのＨ、Ｌレベル・データである。ここでまた、データはクロック４５と同期し、Ｌ状態へ周波数を変調するために搬送波を同期してオン・オフさせる。搬送周波数のＨ、Ｌ状態は、Ｈ及びＬ状態用のＬ用に、波形４７中で示されたように、高周波になり得るが、しかし、周波数は逆にすることができる。ＦＭ及びＦＳＫ変調の間の差は変わる周波数の範囲である。ＦＭは周波数を変え、またＦＳＫは、２つの周波数の間をスイッチングすることに制限されている。
【００４８】
図４Ｃは、振幅変調として知られているＡＳＫ及びＡＭ変調の典型的な波形を示す。図４Ｃの搬送波は波形４４で示されるものと同じである。また、データ波形４８は波形４６中に示されるものと同じデータである。波形４９中で示されるＲＦ送信は典型的な周知の２重側波帯振幅変調で、そして実際には、ＡＳＫは周知の単側波帯振幅変調を使用する。
【００４９】
ここでまた、ＡＳＫ及びＡＭ変調の間の差は、振幅変調の変化レベル及びＡＳＫ変調の固定の２レベルである。さらに、高いビット・データ４８は高い搬送波レベル４９を示し、また低いビット・データ４８は低レベルの搬送波４９として送信され、これは前記と同様に逆にすることができる。
【００５０】
波形４６及び４８のＬ値及びＨ値のパルス持続時間は、Ｈ、Ｌデータと同一の時間期間で示されているが、しかしながら、ＦＳＫ、ＦＭ、ＡＳＫ及びＡＭ変調のために一般に使用されるパルス持続時間またはパルス幅は、データ・ビット４である。
【００５１】
図４Ａ、４Ｂ及び４Ｃの中で示されたのような波形を生成するためのＲＦトランスミッタを図１の遠隔制御装置１０に使用するが、それらは、単一のパッケージにおいて一般に利用可能で、低価格のＩＣや、あるいは標準の周知の回路部品によって作られている。例えば、トランジスタ、ダイオード、フィルタ、コイル及び他の既知の電気的なコンポーネント等である。
【００５２】
同様に、図３中に示す周知の単一のパッケージ・受信機ＩＣ（符号ＲＸ１１０Ｒ、ＲＸ２１１Ｒ、ＲＸｎ１２Ｒ）は、低価格で市販されている図１の復調器回路１０Ｄ、１１Ｄ及び１２Ｄを含んでいる。そうでなければ、１０Ｄ、１１Ｄ及び１２Ｄのような復調器は標準かつ周知の回路部品（トランジスタ、ダイオード、フィルタ、コイルその他の既知の電気的なコンポーネント）によって作ることができ、ＯＯＫ、ＡＳＫ、ＡＭ、ＦＳＫあるいはＦＭ変調された信号を受け入れて復調できる。
【００５３】
遠隔制御装置１０は、プッシュキーまたはタッチキー１０Ｋによって能動化され、連続的に、コード化されたＲＦ変調信号を送信できる。ＲＦ信号あるいは符号化信号を調整するための連続コードは低周波信号で、１ｋｂｉｔ／秒まで程度の範囲のボーレートを有する。一般に使用される遠隔制御装置１０は、キー１０Ｋの各タッチにつき少なくとも一度は全コードを送信する。また、送信されたＲＦ信号は、アンテナ１０Ａ、１１Ａあるいは１２Ａを介して受信機１０Ｒ、１１Ｒあるいは１２Ｒによって受信される。受信機出力信号は、信号の復調のために、復調器１０Ｄ、１１Ｄあるいは１２Ｄにそれぞれ供給される。
【００５４】
復調された信号はオリジナルのコード化された送信の低周波エンベロープで、遠隔制御装置１０によって生成される。エンベロープ信号は、復調器から周知の低域フィルタ２７Ｂまで出力される。低域フィルタは、図２Ｃ中にＬＰＦとして示す。それは、低周波のエンベロープが高周波搬送波や出力信号からの高周波ノイズを通過させあるいはブロックすることを可能にする。これによって、復調出力あるいはエンベロープ信号は、与えられた遠隔制御装置１０によって生成されたオリジナルのコードのクリーンなエンベロープへと再生される。
【００５５】
復調されたエンベロープ信号はさらに周知のデジタル回路、例えば図２Ｃの中で示されるデジタル信号アンプ２７Ｃで信号の増幅のために処理することができる。また周知のクリップ及びクランプ回路２７Ｆを使用して、その指定されたレベルへ信号をクリップしたり、そして選択された参照値の最高値、最低値にエンベロープをクランプすることができる。上記選択は、図２Ｃ中で示された例えばポテンショメータ２７Ｄや２７Ｅによってなされ、そのためにより鋭いエッジで、ノイズフリーであり、そして指定されたレベルにクランプされたクリーンなエンベロープ信号２０Ｆを提供することができる。さらに、エンベロープ信号は周知のインバーター回路、例えば図１２Ａ中で示したインバータゲート２４によって逆にすることが可能であり、たとえ本発明の記録し利用する未知のコード化された信号のためにはそのような極性の統一が必要で無いとしても、異なる遠隔制御装置１０のエンベロープ信号の極性を統一できる。
【００５６】
復調されたエンベロープの個々のパルスの立ち上がり及び立ち下がり時間には、図６Ａ中に示される信号処理遅れに起因するタイミング・エラーがある。復調されたエンベロープ信号６１の立ち上がり及び立ち下がりタイミングは、受信ＲＦ信号６１の立ち上がり及び立ち下がり時間に対する時間の遅延ＲＴ１とＦＴ１を示す。しかしながら、タイムエラーは反復が多く、また後述するように、エラーの反復が多いために、本発明の未知のコード化された信号の記録及び利用にとってのエラーを示さない。
【００５７】
復調されたエンベロープ信号２０Ｄあるいは２０Ｆは、図２Ｄ中に示すように、カウンタ１０Ｃ、１１Ｃあるいは１２Ｃのゲート入力２９Ｂに供給される。またＣＰＵ１８の入力１、２・・・ｎにへも供給される。未知のコード化された信号の記録及び利用のために、様々な周知のカウンタ及びカウント方法を使用することができる。またさらに、低価格で市販されている現在既知のＣＰＵ、カウンタ、タイミング回路を利用して、ＣＰＵにエンベロープ信号を直接接続し供給することができ、図３中で示す本発明の好ましい実施例のように、カウンタ１０Ｃ、１１Ｃ及び１２Ｃを不必要な個別の回路として不使用とすることができる。しかしながら、説明を簡単にするために、カウンタは個別の回路として以下説明する。
【００５８】
カウンタのカウント入力２９ＣにはＣＰＵの３つの端子から高周波クロックが供給される。周波数は例えば１０ＭＨｚである。これによって、未知のコード化エンベロープの単一パルス幅のカウントエラーやエンベロープのカウント中の立ち上がり及び立ち下がり時間は、０．１μｓｅｃまたは１００ナノ秒単位になる。低周波で未知のコード化された信号にとって、これは非常に短い時間単位である。周波数は、２００Ｈｚから１０ｋＨｚの範囲で変動し得る。
【００５９】
クロック６４をカウントするためにカウンタ１０Ｃ、１１Ｃあるいは１２Ｃをゲート制御する復調されたデータ・エンベロープ６３を、図６Ａ中に示す。図６Ａ中に示すように、非同期エンベロープ６３とクロック信号６４の間の立ち上がりと立ち下がりのタイミング・エラーは、ＲＴ２とＦＴ２である。しかしながら、タイミング・エラーは、例えば１０ＭＨｚのクロック周波数では１００ナノ秒という時間間隔を超えることができないので、１００ナノ秒より短いタイミング・エラーは、カウント・プロセスの精度には全く無視できる程度である。また、遠隔制御装置が生成した未知のコード化された信号の利用に対する影響も同様である。
【００６０】
図６Ｂ中で示したバーコード６５のエンベロープ６６の一部分６０は、展示については、立ち上がりと立ち下がり時間に関するカウント誤差の詳細を示すために拡張されている。エンベロープ６７は拡張した波形部分６０の一部であるが、それは、カウンタ１０Ｃ、１１Ｃ、１２Ｃ、１３Ｃ、１４Ｃあるいは１５Ｃ用のゲート信号である。クロック６８は図２Ｄのカウンタのクロック入力に供給されたクロックであり、ゲート信号６７とは非同期である。したがって、信号６７、及び信号６８の立ち上がり及び立ち下がり時間は任意の時間である。
【００６１】
非同期状態の結果を波形６９が示すが、６０Ａと６０Ｂは立ち上がり時間と立ち下がり時間であり、信号６７と６８の間の正確な時間に一致する。一方、立ち上がり時間６０Ｃ及び立ち下がり時間６０Ｄは、２つの信号間でのタイミング・エラーに一致する。
【００６２】
波形６９は、立ち下がり時間エラー６０Ｄを有するパルスＥ１、正確な時間に一致しあるいはタイミング・エラーの無いパルスＥ２、立ち上がり時間エラー６０Ｃを持つパルスＥ３、そしてタイミング・エラー６０Ｃ及び６０Ｄとして示した２重に一致するエラーを持つパルスＥ４のカウントあるいはタイミング・エラーを示す。
【００６３】
上記の波形６９から明白なことは、波形６９のパルスＥ４中で示すように、１パルスカウント当たりの最大カウントあるいはタイミング・エラーは１パルス当たりのクロックの２つの半周期の値、あるいは２クロックパルス期間の５０％であることである。上述した１０ＭＨｚのクロックの例では、０．５×２ｘ１０−７秒＝１００ナノ秒になるであろう。そのような短い時間のエラーはすべて無視することができ、後述のように、新たにカウントされた値に対して記録された値をマッチングさせる過程で、そのようなエラー、すなわち特に、無視できかつマッチしているとして通過させ得るナノ秒の範囲のエラーの許容誤差範囲をプログラムしておくことは容易である。
【００６４】
図２Ｄ中に示すカウンタ１０Ｃ、１１Ｃあるいは１２Ｃは、アップダウン・カウンタで、個別のプリセット出力２９Ｅを有し、ゲート及び制御回路２９に供給されるエンベロープ信号２０Ｄあるいは２０Ｆによってゲート制御される。そのため、パルス立ち上がりでカウンタ２９Ａ０にリセットされ、カウントアップを開始する。一方、パルス立ち下がりでカウンタ２９Ａは０にリセットされ、カウントダウンを開始する。カウンタは、エンベロープの最高値の間は正のカウント番号を、エンベロープの最低値の間は負のカウント番号を、図１に示すＣＰＵ１８の入力端子１Ａ、２Ａ及び２ｎに供給する。
【００６５】
ＣＰＵ１８へは、その入力端子１、２及びｎを通して直接にエンベロープ信号とともに供給され、ＣＰＵ１８はエンベロープの詳細を直接に読む。したがって、エンベロープ信号の個々の独立した期間の高低、最高値と最低値の数、最低値の合計最高値及び未知のコードの長さの合計の合計を記録することができる。これらは、各々の高、低カウント値及びトータルのカウント及びエンベロープとして表わされる未知のコード化信号に関する合計とともに記録される。１０ＭＨｚのクロックの例を考えると、±１カウントのカウント精度は１パルス当たり±１００ナノ秒の微少な単位時間になるであろう。
【００６６】
さらに、コード化されたＲＦやＩＲ信号を説明してきたが、それらは定義された２つの状態に基づく。それは、信号レベルが高いＨ状態とレベルが低いＬ状態である。ＲＦコード信号は２つの状態を提供するためにＡＭまたはＦＭ変調できる。これは、複数の幅のバーとそれらの間隔を識別するバーコード・リーダと同様である。図６Ｂに示すバーコード６５は、バーコードに含まれている全データを読むためのものである。
【００６７】
本発明は、エンベロープの高、低カウントや識別されたパルス幅に基づいてパルスのＨ、Ｌ状態をカウント、検知そして定義するものであるが、それだけでなく、例えばレベルが低いＬ状態、高いＨ状態、その間のＭ状態の３つの状態のように検知することあるいはＬ状態とＭ状態の間のＭＬ状態と、Ｍ状態とＨ状態の間のＭＨ状態を加えた５つの状態のように検知することを行う。これは、比較過程中において、格納された値及び新たにカウントされた値の比較に使用される。さらに、未知のコード信号のカウントの組み合わせは、カウンタ１０Ｃ、１１Ｃあるいは１２Ｃによって、あるいは、ＣＰＵ１８Ａのカウント回路によって、そしてＣＰＵ入力へエンベロープを直接に供給することによって行われるが、未知のコード信号の記録及び利用の確認をチェックする多くの組み合わせを可能にする。組み合わせには、例えばエンベロープの各最高期間及び各最低期間、Ｈ状態、Ｍ状態、Ｌ状態各々の時間期間、Ｈ状態、Ｍ状態、Ｌ状態各々のシーケンス、Ｈ状態、Ｍ状態及びＬ状態の総数、全Ｌ状態期間、同じく全Ｍ状態期間及び全Ｈ状態期間の合計、Ｌ状態、Ｍ状態、Ｈ状態の合計、及びカウントの総合計、クロックカウント及び時間での前述の未知のコードのエンベロープの絶対的な長さの合計、またエンベロープの極性、またそれらの組み合わせがある。
【００６８】
未知のコード化信号の前記未知のコード化エンベロープの上記カウント値が記録される。記録するのはカウントの詳細であり、図１と図３のメモリ１７へ記憶させる。
【００６９】
格納された値は、前述の未知のコード化されたエンベロープを利用するために参照される。これは、格納値を新たに受信した信号及びそのカウント値と比較することによって行う。格納値を新たに受信した信号及びそのカウント値と比較する比較過程は、データ比較の周知のプロセスであり、一般に、すべてのタイプのＰＣ及び他のデジタル・デバイスで採用されている。
【００７０】
図６Ｃは、図６Ｂで符号６７で示されるエンベロープの録音の原理タイミングの詳細を示す。図示された時間期間ｔ１、ｔ３、ｔ５及びｔ７は、エンベロープ最高値の時間期間で、ｔ２、ｔ４及びｔ６がエンベロープ最低値の時間期間である。結合したエンベロープ時間は、ｔ１からｔ７の合計で、ｔ１＋ｔ３＋ｔ５＋ｔ７−ｔ２−ｔ４−ｔ６である。図示されたエンベロープ最高値の合計は４で、エンベロープ最低値の合計は３である。
【００７１】
図６Ｂ及び図６Ｃの波形６７を参照すると、例えば以下が明らかになるであろう。Ｅ１とＥ３は、ｔ１＝ｔ５を備えたエンベロープの最も幅狭のＨ状態のパルスとして示されており、そしてしたがって検知でき、あるいはＨ状態パルスとして定義することができ、Ｅ４またはｔ７の期間が最長のものとして示され、そしてしたがって検知でき、あるいはＬ状態のパルスとして定義することができる。Ｅ２またはｔ３は中間パルスで、中間状態パルスとして定義することができる。最低値あるいはエンベロープの間隔時間についても以上は適用できる。これを図６Ｃの中のｔ２、ｔ４及びｔ６として示した。ｔ２とｔ４は幅狭の時間として示され、検知でき、あるいはエンベロープの最短の最低値として定義することができ、ｔ６は最長の期間で示され、したがって、最長の最低値として定義することができる。図６Ｂのバーコード・エンベロープ波形６６中で示されたように、いくつかの異なるエンベロープ最低値期間があり、すべてが検知でき、短い、中間、長い、として定義することができる。この広範囲なデータは、マルチ・レベルの状態を定義する能力と共に、エンベロープ信号のすべての詳細に関係する。それらは、ＨとＬの２状態のデジタル信号の最低値を越えており、エンベロープ信号の録音及び比較を、アクセス制御にとって、非常に信頼できるものにする。
【００７２】
時間間隔ｔ０は非アクティブ状態である。それはＬ状態として図６Ｃ中で示されるが、同様にＨ状態であり得る。ｔ０は、コードの総計や期間の合計へ算入されるべきではない。ｔｎは最後のカウント期間であり、あらかじめ選択された、あるいはプログラムされた時間間隔、例えば１０ミリ秒や１００ミリ秒を超える。
【００７３】
ＬまたはＨ状態のより長い時間間隔は、録音あるいは新たに受信した未知のコード化された信号のカウントを終了する。後述するように、ｔｎは、繰り返し計算されるか繰り返し無視されるものと考えれば、総計へ算入され得る固定時間間隔あるいはコードの期間の合計であり、あるいは無視できる。未知のコード化された信号の録音中に多くの関連項目を記録することが必要で、データは録音と関連させるか、インデックスを付ける。
【００７４】
これは、大きなアパートに使用されるビデオインターホンやインターコム・システムのようなシステムに必要である。遠隔制御装置の所有者、彼のアパート番号あるいは彼の自動車を識別することが必要だからである。
【００７５】
さらに、プログラムされた信号の出力のために、駆動回路１９Ａ及び１９Ｎのための詳細を識別することが必要である。認定ユーザへのアクセスを許可する根拠となる、一致した未知のコード化された信号に基づいて正確にアクセスを許すためである。これは、たとえ、コーディング方法が共通のアクセス・コントロール・システムによって使用したとしても、アクセスを許すための原理をうまく定義してユーザを認識する周知のアクセス・コントロール・システムに類似する。そのシステムでは、コードとデータのすべての要素の記録は複雑なプロセスであるが、本発明の未知のコード化された信号の記録プロセスは上述のように単純である。
【００７６】
したがって、関連項目あるいは関連項目のインデックスを付けられた記録、例えば、各遠隔制御装置の所有者リスト及びこれら所有者に関係する他の詳細は、他の項目、例えば、開かれるべきドアやあるいは盗難警報装置あるいは能動化されるべき緊急照明装置やシステム・メモリ１７Ｓへ記録するために必要で立ち上げるべき障壁と同様に処理される。コード・メモリ１７及びシステム・メモリ１７Ｓが個別のメモリ回路として示されているが、フラッシュ・メモリのような任意の周知のメモリ素子を組み合わせるか分割することで構成できる。あるいはＣＰＵ１８あるいは１８Ａの一部であるフラッシュ・メモリを利用することもできる。
【００７７】
一度、前述の未知のコード化されたエンベロープのカウントの詳細を完全に記録すると、受信、デコード及びアクセスのための前述の遠隔制御装置１０によって生成された繰り返し新な送信のエンベロープのカウントを、前述の未知のコード化されたエンベロープの格納値と比較する。両方の値、すなわち新たにカウントされた値及び格納された値がマッチした場合だけ、図１及び図３のＣＰＵ１８、１８Ａは、駆動回路１９Ａあるいは１９Ｎを介してマッチ信号を生成する。駆動回路１９Ａあるいは１９Ｎはリレーを含み得る。ドアを開けたり、あるいはパーキングバリアを上げるためである。またバッファ回路も含み得る。プロトコルとして知られるシリアルまたは並列のコードの供給のためであり、ロビーあるいは任意の選択された階へ選択されたエレベータを呼び戻すことにより建物へのアクセスを可能にしたり、盗難警報装置や非常通報システムを解除したりするためである。建物のエントランス・ロビーを照らすためにも使用できる。
【００７８】
図１のＣＰＵ１８及び図３のＣＰＵ１８Ａは、ＰＣに使用される周知のマイクロプロセッサーでよい。インテルの周知のペンティアム及び他のマイクロプロセッサー、あるいは、ＤＳＰデバイスとして知られる周知のデジタル信号プロセッサを使用できる。あるいは周知のカスタムプログラム・ゲート・アレイあるいは、同様のカスタムプログラムデバイスを使用できる。後述するように、図３の単一のパッケージＣＰＵ１８Ａがフラッシュ・メモリのようなメモリ部分１７及び１７Ｓを含むことが望ましい。
【００７９】
本発明の未知のコード化された信号を記録し利用するための装置１及び１Ａは、ＲＦ遠隔制御装置１０と同様にＩＲ遠隔制御装置１３を備える。この目的のために、ＩＲフィルタを１３Ｆ、レンズ１３Ｌ、及びフォトダイオード１３Ｓを含む少なくとも１つのＩＲ受信機を、復調器とともに備え、未知のコード化された信号１及び１Ａの記録及び利用のために処理回路１３を装置に組み入れる。受信したＩＲ信号の復調と処理のための復調器１３Ｄは、前述のＲＦ復調器１０Ｄ、１１Ｄあるいは１２Ｄに類似する。一般に用いられている復調器回路１３ＤはＯＯＫタイプである。一般に用いられているＩＲ遠隔制御装置がオン・オフキーイング方式で操作されるためである。しかしながら、他の変調と復調の回路も使用することができる。
【００８０】
ＩＲ遠隔制御装置１３によって生成された未知のコード化信号を復調し、処理し、カウントして、格納するステップ、及び受信ＩＲ信号の新たにカウントされたエンベロープを比較するステップは、受信ＲＦ信号のために述べたステップと同様である。さらに、アクセスするキーの未知のコードにも同様に当てはまる。例えば、リーダ１４Ｒによって処理された磁気キー、あるいは入力１５に対して直接供給された未知のシリアルあるいは並列のコード信号である。これらはすべて処理され、またそれらのエンベロープが形成され、カウントされ、デコードされ、そして、受信ＲＦやＩＲ信号について述べたのと同様に格納される。
【００８１】
遠隔制御装置には、磁気カードあるいはバーコード・カードのようなデバイスを含み、それらは、完全な全体コードを対応するリーダによってそれぞれ送信するか生成するように構成される。いくつかのタイプの遠隔制御装置が、シリアルコード信号の送信を繰り返し、他は、キーの各タッチにつき完全なシリアルコードを一度送信するように構成される。しかしながら、遠隔制御装置はすべて完全なコード化された信号を送信する。この信号は、一般に、パイロット・ビット、同期ビットやスタートビットで始まり、終了ビットで終了する。
【００８２】
一般に用いられている受信機、リーダ及び遠隔制御装置用のプロセッサまたは磁気、接近及び他のキーやカードは、入って来るコード化された信号だけを読み、受理するように予め構成される。それは、予め形成したコード、パルスのタイミング、パルス持続時間及び正確なスタートビット、アドレス・データ、コマンド・データ、また他の排他的に形成されたプログラムと正確にマッチする。そして排他的なあらかじめ形成され、あらかじめプログラムされたマッチングだけが器具やシステムにアクセスすることができるようにすることを保証する。
【００８３】
周知のバーコード標準のバーコード６５を図６Ｂ中に示す。バーの幅、バーの間隔、バーの数及び間隔の幅は、プリプログラムされたアクセス用に形成されたデータである。バー６５の左側に２つ示した狭いバー６５Ａ及び６５Ｂは、スタート・バー、あるいは６６で示すスタートビットである。また、幅狭の２本のバー６５Ｃ及び６５Ｄは、６６に示すエンドバーかエンドビットである。従って、もしスタートビット及びエンドビットを正確に読み込めなければ、バーコード・リーダはバーコードを処理しない。
【００８４】
対照的に、本発明は、任意のそのような遠隔制御装置で使用できる。例えば、高齢者が緊急遠隔制御装置を使用するかもしれないい。緊急時の、腕輪、チャーム、ペンダントあるいはボタンのようなものによるＲＦまたはＩＲの信号送信ができる。機械的なコード、磁気コード、バーコード、あるいは他の光学のコードによるカード、タグあるいはストリップも使用できる。遠隔制御装置には、磁気キー、バーコード、接近キー、ＲＦＩＤ非接触カードのようなデバイスを含み得る。または他のアクセス・デバイス、例えば、指紋読取装置や顔認識読取装置を用いて完全に未知のコード化信号を記録することができる。信号は、所定のデバイスまたはそのリーダによって生成されるが、パイロット、同時記録、スタートビット及びエンドビットのようなパルス項目を含んでおり、前述のメモリへ格納された未知の記録信号内において、前記パルス項目のすべてがスタートパルスまたはエンドパルスになり得る。
【００８５】
したがって、本発明のカウント・プロセスには、カウント・プロセスを始めるためのパイロット・ビット、同時記録ビットあるいはスタートビットの必要はなく、カウンタは、そのカウントを、立ち上がりあるいは立ち下がりを伴うエンベロープ信号がゲート入力に与えられれば開始する。カウントを終了するためや受信信号のカウント・プロセスを終えるために、「ｎ」ミリ秒より長い期間にわたりＨあるいはＬ状態が残る場合は常に、カウンタは、それ自体をリセットし、かつカウントをやめるようにプログラムされている。
【００８６】
図２Ｄ中に示したカウンタ１０Ｃ、１１Ｃあるいは１２Ｃは、プリセットされたセットセレクター２９Ｆにより、プリセットされた時間間隔の計算の選択のために、あるいはプリセットされたクロック計算の選択のために、時間間隔を表示す。例えば、１０ＭＨｚのクロックの１０，０００個のクロックパルスを計算すれば１ミリ秒と等しくなる。プリセットされた数に到達し且つプリセット出力２９Ｅの状態をＬ状態からＨ状態あるいはその逆へ変更する時は、カウンタ１０Ｃ、１１Ｃあるいは１２Ｃは、カウントを停止するように設計されている。プリセット出力は、カウンタ２９Ａを０までリセットするか、オン・オフ・ラインをオフ状態へ切り替えることによってカウントを止めるためにリセットラインを通ってゲート及び制御回路２９に供給される。これによって、カウンタ１０Ｃ、１１Ｃあるいは１２Ｃは、リセットされて「カウント準備」状態になり、ゲート入力２９Ｂに次の信号の立ち上がりあるいは立ち下がりが供給されるまで待つ。信号がゲート・スイッチを通るので、そのＯＮ状態へのオン・オフ・コマンドライン及びアップ・ダウン・コマンドラインは、受信信号の立ち上がりあるいは立ち下がり状態に対応する。カウント・プロセスのこの配置は、反復の多いエラーのない未知のコード化信号のカウントに備えるものである。
【００８７】
カウンタ１０Ｃ、１１Ｃ、１２Ｃ、１３Ｃ、１４Ｃあるいは１５Ｃのリセットは、さらにシステムのＣＰＵ１８あるいは１８Ａの受信状態へのリセットを与える。そして新たに送信されてきた未知のコード化信号の受信を可能にする。「ｎ」期間を形成することは簡単である。例えば、未知のコード信号の可能な限り遅い速度が１ｋｂｉｔ／秒である場合、エンベロープ信号の個々のＬまたはＨ状態の幅は、実際に１ミリ秒の期間を超えることができない。したがって、例えば１０ミリ秒あるいは１００ミリ秒より長い「ｎ」期間は、送信のエラーフリーエンドとして安全に形成することができ、送信状態を識別しないようにすることもできる。そして、カウンタが自身をリセットし、そしてＣＰＵをその「受信準備」状態へリセットし、次の新な受信のためにシステムを準備する。
【００８８】
ゲート入力２９Ｂはそれへの信号の立ち上がり、立ち下がりに敏感で、そして、ランダムノイズ、特に高周波ノイズにも敏感で、そしてしかも、遠くの距離からの遠隔制御装置１０の使用によって引き起こされるかもしれない弱いＲＦ受信のためにゲート入力２９Ｂに達するかもしれないノイジーな未知にコード化された信号にも敏感で、図２Ｃ中に示すノイジーな供給信号２０Ｅ生成することになる。したがって、カウンタに１０Ｃ、１１Ｃ、１２Ｃ及びカウンタ１３Ｃ、１４Ｃ及び１５Ｃに供給される信号や図１及び図３の１８ＡのＣＰＵ１８に供給される信号は、処理及び図２Ｃに示すＬＰＦ回路２７Ｂあるいは他のタイプの周知のフィルタによってフィルタされる必要があり、増幅され、クリップされ、説明したようにクランプされる。図２Ｃ中に示さす信号２０Ｆのようなクリーンで鋭いエッジのエンベロープ信号を出力するためである。
【００８９】
共通のアクセス・コントロール・システム、例えば、アクセス・リーダを非接触キーに使用するシステムのように、接近キーあるいはＲＦＩＤデバイスを含み、通信線路を使用し、図２Ａ中に示すような２つの別個のドライバによって、コード化された信号のデータ最低値及びデータ最高値を増幅する。逆極性パルス２０及び２０ＡはＨデータ・パルス及びＬデータ・パルスの両方である。本発明において、未知のコード化された信号の記録及び利用のためにそのような増幅データ信号の使用は、データ最低値及びデータ最高値は単一の入力として組み合わせなければならないが、データパルスのうち低いデータ２０Ａ及び高いデータ２０のパルス幅は同じであり、また、パルス間隔も同一である。図５Ａ中で示したのは、高いデータ５０及び低いデータ５１の詳細である。そして、マイクロ秒のパルス幅及びミリ秒のパルス間隔は、Ｈ、Ｌにかかわらずデータパルスでは同一である。５２に示される結合データの読み取りは２つの分離された出力でだけ可能である。これは、連続するコード中へ、一つのライン経由で、それらの現在の形態のままでＬ、Ｈデータが結合することを防ぐ。ＬデータとＨデータ・パルスの間に差がないからである。
【００９０】
このようなＨ状態とＬ状態で同一のパルスを持つデータ信号の混乱を克服するには、図２Ａ中で示すように、Ｌデータ線は、周知の単安定回路２３の入力に供給する。単安定回路２３は、各受信パルスのためにあらかじめ選択された幅を備えた単一パルスを生成し、それらの幅を広げる。例えば、Ｌデータのパルス幅及び出力する、より広幅のＬデータパルス２０Ｃを参照されたい。Ｌ及びＨデータのための２つの異なるパルス幅を持っていることは、２つの別個のラインを一つに組み合わせることを可能にする。図２Ａ中で示すように、Ｈデータは、ＯＲゲート２４の入力２４Ｂに、及びより幅広のＬデータ・パルスを有するＬデータ線は直接にＯＲゲート２４の入力２４Ａに供給される。これによって、２つのデータ線は交互にゲート制御され、また１本の連続するコードへ組み合わせられ、ｏｒゲートの出力２５から出力される。連続するコード２０Ｄは反転された信号で、すべての受信未知のコード化された信号のために一体になった処理を提供し、そしてこの目的のために、図２Ａ中に示されるＯＲゲート２４は反転ＯＲゲートとする。しかしながら、未知のコード化された信号のこの反転は必要ではない。また、非反転ＯＲゲートを代わりに使用することができる。
【００９１】
未知の連続的にコード化された出力は、カウンタ１４Ｃあるいは１５Ｃ、またはＣＰＵ１８あるいは１８Ａに供給され、供給された未知のコード化された信号は処理され格納される。これは、ＲＦまたはＩＲの遠隔制御装置によって生成されたデータについて記述されたのと同様である。しかしながら、未知のコード化された信号２０Ｄは、図２Ａ中に示すオリジナル・データ信号２０及び２０Ａの修正済のエンベロープである。図５Ｂ中に示す搬送波５５の調整のために結合信号がＲＦ遠隔制御装置に供給された場合も同様である。その場合、２つのデータ信号、Ｈ信号及び幅広としたＬ信号５４は、それらのベースクロック５３と同期してタイムリーに生成され、ＲＦまたはＩＲのＯＯＫ変調信号５６を送信する。
【００９２】
たとえ、それらがオリジナル・データ信号２０と２０Ａの正確な複製あるいは正確なエンベロープでなくても、また、たとえそれが明らかであるとしても、例えば図５Ａ中に示す波形５０及び５１のようなオリジナルの形成信号は修正され、反転させる。本発明の利点は、未知のコード化された信号の同一の反復処理が、同一の未知のコード化された信号を生成することである。一度、そのような変調済の未知のコード化された信号が格納されると、新な変調済の同一の未知のコード化された信号と格納された信号をエラー無く比較させることができる。
【００９３】
変調またエンコードされた未知の符号信号の別の例は図５Ｃ中に示す周知のＦＭ−０データ信号である。ＦＭ−０変調あるいはエンコードされた信号は、クロック５７と同期する。そして、同期データ信号５８によって計時し、波形５９を生成し、そして、アクセス・コントロール・リーダ及び警報装置に接続するために、アクセス・コントロール及びセキュリティシステムのネットワーク中で使用される。従って、ＦＭ−０変調された未知のコード化された信号を復調あるいはデコードするための復調器やデコーダは、図１と図３の装置１あるいは１Ａにそれぞれ含むことができる。図示していないが、ＦＭ−０のためのデコーダは、低価格の単一のパッケージＩＣで一般に利用可能である。プロセッサ／デコーダ及び波形整形回路１４Ｄまたは１５ＤにＦＭ−０復調器あるいはデコーダを包含することによって、図１と図３の装置１あるいは１Ａに柔軟性を持たせることができ、建物と駐車場へ入るためのアクセス・デバイスの多くの種類と接続できる。そしてさらに、テナントあるいは入居者は、それらのアクセス遠隔制御装置を使用して、同じデバイスを、盗難警報装置のオン、オフや緊急処置の能動化に使用できる。最も重要なことには、それらのリモート・コントロールに自動車キーのようなものを使用できることである。
【００９４】
あるタイプのリーダは並列データを生成、出力するが、それらはさらに装置１あるいは１Ａによってそのまま処理することはできない。そのため、図２Ｂ中に示す周知のパラレルーシリアルコードコンバータ２６を図１と図３の処理回路１４Ｄあるいは１５Ｄ用に含むことが可能である。パラレルーシリアルコードコンバータは、低価格のシングルチップＩＣにおいて一般に利用可能である。またパラレルーシリアルコードコンバータ２６は、入力端子２６Ａ、２６Ｂ、２６Ｃ及び２６Ｄを備え、並列のＨ、Ｌデータを入力できる。また出力端子２７を介してシリアルコード２０Ｄを出力できる。これによって、本発明の装置１及び１Ａは、遠隔制御装置の未知のコード化された信号の記録及び利用のために、より柔軟性を有する装置になる。
【００９５】
望ましいのは、ＩＲキー・ホルダー１３のような遠隔制御装置が、図１と図３中に示した多数のタッチ・キー１３Ｋを装備し、そのキーが、英数字キーのようにアクセスに使用することができ、例えば、駐車システムにおいて、遠隔制御装置１３のタッチ・キー１３Ｋを通してプログラムされたパスワードのキー操作できることである。
【００９６】
したがって、未知のコード化された信号の複合キーイングのための制限は、時間間隔かキーイング間隔になるであろう。それは、既述の「ｎ」時間間隔より長くなければならない。「ｎ」時間間隔が１秒の何分の一、例えば１０ミリ秒と１００ミリ秒のような時間であるため、そのような短い時間間隔をどのような実際的な方法でも、前述の遠隔制御装置１３の前述のキー１３Ｋによるパスワードの複合キーイングを防ぐことができない。
【００９７】
パスワードのキーイングシーケンス、例えば３−１−４−２のようなものは、３−１−４−２というシーケンス順に４つの個々のエンベロープのカウント値になり、個々にかつ順次にメモリ１７に記録される。それに対して、ＣＰＵ１８あるいは１８Ａは、シーケンス中の４つの個別のエンベロープを新な受信信号に対して個々に比較するようにプログラムされている。比較は、すべての４つの個々の数値コード化した送信用の４つの新なエンベロープ信号すべてが、４つの格納された信号と別々にマッチし、かつそれらシーケンスがプログラムされたものとマッチする場合だけ行われる。ＣＰＵ１８あるいは１８Ａは、駆動回路１９Ａあるいは１９Ｎによってマッチ信号を生成し、前述の器具や前述のシステムの能動化あるいは非能動化を可能にするだけである。
【００９８】
同様に、前述の遠隔制御装置のうちのいずれかによって、繰り返し送信をプログラムすることが可能である。建物の入口にアクセスするためや、与えられたアパートの盗難警報装置アクセスするためである。これは、未知のエンベロープカウントの記録の繰り返しにより達成でき、またはＣＰＵ１８あるいは１８Ａのプログラムによってマッチ信号を「ｎ」回を連続して受け取った後だけマッチ信号を生成することによっても達成できる。
【００９９】
他の多くのプログラムを、アクセス・プロテクション及びセキュリティの提供のために用いることができる。他のプログラムは、マッチング過程において、あらかじめ規定されたエラー、すなわち、格納された未知のコード化された信号値と新なカウント値の間の差を許容するためのトレーランスを提供するために使用することができる。例えば、立ち上がりと立ち下がり時間により小さなカウント誤差を許すために使える。これは純粋なアクセスシステムによる不必要な拒絶を防ぐための試みとなる。
【０１００】
図７は、周知のビデオインターホン・システムに接続された装置１Ａを示す。このシステムは、米国特許６，６０３，８４２号及び同５，９２３，３６３号に開示されている。ビデオインターホン・システムはコンシェルジュ・カウンター８、セキュリティ・センター９、ｎ番までのエントランスパネル７３、そしてｎ番までのテレビ・ビデオ・インターホン７４を備え、すべて中央ユニットが含むマトリックス７０、コマンド・センサー７５、及びマスタコントロール１０１に接続している。マスタコントロールは、パネル７３等に関連したすべてのエントランスアクセス、例えば図示しないパーキングバリアや業務用出入口、エレベータ等をコントロールするためのものである。
【０１０１】
コンシェルジュや警備員はテナント、エントリー・パネル７３通信でき、盗難警報装置をコントロールし、またビジターへアクセスを提供する。テナントはエントリー・パネル７３と通信でき、そしてコンシェルジュ８とまた警備９とも通信でき、エントリー・パネル７３によってビジターへのエントリー・アクセスを許可できる。
【０１０２】
エントリー・パネル７３の各々は、コードの直接のキーイングを提供する。したがってエントリー・パネルに関連してドアの電気的なロックのリリースが行える。同様に、アラーム・キーによりコード化されたパスワードキーイングによって、各アパートの盗難警報装置として装備できる。ビデオインターホン・システムの詳細は、本明細書で参照する米国特許６，６０３，８４２号及び同５，９２３，３６３号に開示されている。
【０１０３】
これによって、明らかになることは、コントローラ１０１に接続された図７中に示される装置１Ａとエントリー・パネル７３の各々が、建物の入口のどれかから、テナントが彼の自動車キーを図７中に示す遠隔制御装置１０のように使用することによってアクセスすることを提供できる。
【０１０４】
同様に、テレビ・インターホン・モニター７４に装置１Ａを接続させているテナントは、彼らの盗難警報装置の装備を能動化させるかどうかも同じく自動車のキーを使用して、あるいは例えば２個の異なる自動車のキーを使用して可能である。２個の異なる自動車のキーの未知のコード化された信号は自分のアパートの装置１Ａに格納されていなければならないが、便利で使いやすい。
【０１０５】
なお本発明はもちろん、以上開示した好ましい実施例だけに関するのではなく、多くの変更及び修正をすべてカバーするように意図されている。図示及び説明した実施例は単に本発明を開示するという目的のために選ばれたもので、本発明の精神及び範囲から逸脱しない範囲でいかなる守勢も可能である。
【図面の簡単な説明】
【０１０６】
【図１】本発明の未知のコード化された信号の記録及び利用のための装置の電気的なブロック・ダイヤグラムである。
【図２】本発明の装置で使用するために波形成形、変換及びカウントするための典型的なデジタル及びデータ信号処理の電気的なブロック・ダイヤグラムである。
【図３】本発明の未知のコード化された信号の記録及び利用のための装置の好ましい実施例の電気的なブロック・ダイヤグラムである。
【図４】周知のＲＦ遠隔制御装置によって処理され送信された波形である。
【図５】アクセス・コントロール・デバイス及びＩＲ遠隔制御装置によって処理され、使用され、送信される周知の波形である。
【図６】復調されたエンベロープ信号の立ち上がりと立ち下がり時間のエラーを示す波形と、そして復調されたエンベロープによってゲート制御されたクロックの計数誤差を示す図(Ａ、Ｂ)と、図５（Ｂ）のカウントされた波形のタイミングチャート図である。
【図７】周知のビデオインターホン・システムを備えた図３の好ましい実施例のアプリケーションを示す電気的なブロック・ダイヤグラムである。
【符号の説明】
【０１０７】
１、１Ａ：装置
８：コンシェルジュ・カウンター
９：セキュリティ・センター
１０：ＲＦキー（遠隔制御装置）
１０Ａ、１１Ａ、１２Ａ：受信アンテナ
１０Ｃ、１１Ｃ、１２Ｃ：カウンタ
１０Ｄ、１１Ｄ、１２Ｄ、１３Ｄ：復調器回路
１０Ｒ、１１Ｒ、１２Ｒ：ＲＦ受信機
１３：ＩＲリモート・コントロール
１３Ｋ：タッチキー
１４Ｄ、１５Ｄ：プロセッサ／デコーダ及び波形整形回路
１４Ｒ：アクセス・リーダ
１５：シリアルや並列データの入力
１６：制御回路
１６Ｋ：コントロールキー
１７、１７Ｓ：メモリ
１８、１８Ａ：ＣＰＵ
１９Ａ、１９Ｎ：ドライバ回路
２３：単安定回路
２４：ＯＲゲート
２６：パラレルーシリアルコードコンバータ
２７Ａ：増幅器
２７Ｂ：ＬＰＦ回路
２７Ｆ：クリップ及びクランプ回路
２９：ゲート及び制御回路
２９Ａ：アップダウン・カウンタ及びプリセットカウンタ
７０：マトリックス
７３：エントランスパネル
７４：テレビ・ビデオ・インターホン
７５：コマンド・センサー
１０１：マスタコントロール
【図１】
2006226100.tif 000003
【図２】
2006226100.tif 000004
【図３】
2006226100.tif 000005
【図４】
2006226100.tif 000006
【図５】
2006226100.tif 000007
【図６】
2006226100.tif 000008
【図７】
2006226100.tif 000009
【外国語明細書】
2006226100000001.pdf
2006226100000002.pdf
2006226100000003.pdf
2006226100000004.pdf